(57)【特許請求の範囲】
【請求項１】
光透過性シートに塗料の塗布見本を有する色見本シートと、該色見本シートの色を評価する為の下地シートとを有し、かつ、該塗料の塗布見本内又はその近傍に塗料の組成比を示す表示を設けてなる色見本セットであって、該塗料の塗布見本が該色見本シートと該下地シートを重ね合わせた際に、下地が完全に隠蔽されない、非隠蔽性の塗料の塗布見本である、色見本セット。
【請求項２】
前記下地シートが、基材シートを着色したもの、基材シートに模様を付したもの、及び、基材シートを着色し、かつ、模様を付したものから選択される１種以上である請求項１に記載の色見本セット。
【請求項３】
前記下地シートが、着色対象物が再現されたものである請求項１に記載の色見本セット。
【請求項４】
前記下地シートが、着色対象物の現像写真である請求項３に記載の色見本セット。
【請求項５】
前記下地シートが、着色対象物の画像印刷物である請求項３に記載の色見本セット。
【請求項６】
前記着色対象物がコンクリート又は押し出し成形セメント板である請求項３〜５のいずれかに記載の色見本セット。
【発明の詳細な説明】
【技術分野】
【０００１】
本発明は色見本セットに関する。具体的には、着色対象物を着色した状態に近いイメージで色を見ることができる色見本セットに関する。
【背景技術】
【０００２】
一般に、着色対象物に着色した状態の色味を示す為に、着色された現物の一部をそのまま台紙に貼り付けたサンプルや、紙等のシートを実際に着色した色見本が使用されている。
しかしながら、着色された現物のサンプルは、着色対象物が嵩張ったり重量がある場合には、色見本が取り扱いや持ち運びに不適切となったり、また、着色対象物の色や模様が着色に影響を及ぼすため、紙等を着色した色見本では、実際の仕上がりとは色味が異なる場合がある。
【０００３】
このような色見本としては、印刷により現物下地の絵柄を表現した紙基材の上に仕上げ塗料を塗布した色見本が開示されている（特許文献１）。しかしながら、この色見本は特定の着色対象物に対するものであるため、異なる着色対象物に対する色見本が必要である場合には、別途色見本を作製し直す必要が生ずる。特に、着色対象物が多数であったり、色系統により複数種類の色見本が必要となる場合には、着色対象物毎に複数の色系統の色見本を製作する必要があるため、手間やコストがかかったり、多数の色見本の取扱いが煩雑となるといった問題がある。
また、特許文献２には、透明又は半透明シートに色見本を印刷し、印刷対象物の表面に重ね合わせて透視できる色見本帖システムが開示されている。しかしながら、色見本シートを印刷対象物の素材シートや実物に重ね合わせる方法では、コンクリート等の嵩張ったり重量がある塗装対象物に用いると上述のような問題が発生し、また、実際の建造物等に着色した状態を確認するためには、実物まで移動して色見本を重ね合わせる必要が生じる。
【発明の開示】
【発明が解決しようとする課題】
【０００４】
本発明は、異なる着色対象物に対して塗料を塗布した際の色味を掴むことができ、かつ、取扱いや持ち運びが容易な色見本セットを提供することを目的とする。
【特許文献１】特開２００５−１０５１７号公報
【特許文献２】特開２００１−２７２２７６号公報
【課題を解決するための手段】
【０００５】
本発明者等らは、上記課題を解決するために鋭意研究を重ねた結果、着色見本を有する色見本シートと、下地シートとを有する色見本セットにより上記課題を解決しうることを見出し本発明を完成したものである。
すなわち、本発明は、
１．光透過性シートに着色見本を有する色見本シートと、該色見本シートの色を評価する為の下地シートとを有する色見本セット、
２．前記着色見本が塗料の塗布見本である上記１に記載の色見本セット、
３．前記下地シートが、基材シートを着色したもの、基材シートに模様を付したもの、及び、基材シートを着色し、かつ、模様を付したものから選択される１種以上である上記１又は２に記載の色見本セット、
４．前記下地シートが、着色対象物が再現されたものである上記１又は２に記載の色見本セット、
５．前記下地シートが、着色対象物の現像写真である上記４に記載の色見本セット、
６．前記下地シートが、着色対象物の画像印刷物である上記４に記載の色見本セット、及び
７．前記着色対象物がコンクリート又は押し出し成形セメント板である上記１〜６のいずれかに記載の色見本セット、
を提供するものである。
【発明の効果】
【０００６】
本発明の色見本セットによれば、異なる着色対象物に対して着色した際の色味を掴むことができ、かつ、取扱いや持ち運びが容易である。
【発明を実施するための最良の形態】
【０００７】
本発明における光透過性シートとしては、光透過性を有するものであれば特に限定されず、透明であっても半透明であってもよいが、透明なものが好ましい。光透過性シートの具体例としては、ガラス板や、ポリエチレン、ポリプロピレン、ポリエチレンテレフタレート、ナイロン樹脂、ポリ塩化ビニル樹脂、アクリル樹脂、ポリカーボネート等の合成樹脂をフィルム状、シート状又は板状としたものが挙げられ、取扱いの容易さや重量の点から合成樹脂をフィルム状又はシート状としたものが好ましい。
【０００８】
着色見本としては、光透過性シートに塗料を塗布したり、印刷を施したりして、光透過性シート上に設けることもできるし、また、上述の光透過性シートとして挙げられた材料に予め顔料等の色材を含有させて光透過性シートを作製することで、光透過性シートに着色見本を有する色見本シートとすることもできる。
また、上記着色見本は、光透過性シート上に着色ピースを配置して設けることもできる。着色ピースは、上述の光透過性シートとして挙げられた材料を用いて、適当な大きさのピースを作製し、このピースに塗料を塗布したり、印刷を施したりして作製することもできるし、また、上述の光透過性シートとして挙げられた材料に予め顔料等の色材を含有させてフィルム状、シート状、板状等の形状として作製することもできる。
【０００９】
着色見本として塗料の塗布見本を設ける際に使用される塗料の種類は特に限定されず、利用分野に応じて各種塗料を適宜用いることが可能であり、具体的には、アクリル樹脂塗料、アミノアルキド樹脂塗料、アルキド樹脂塗料、ウレタン樹脂塗料、エポキシ塗料、ビニル樹脂塗料、フッ素樹脂塗料、ポリエステル樹脂塗料など各種樹脂系塗料が含まれ、さらにはエマルジョン塗料、堅練りペイント、水溶性塗料、ゾル型塗料、多液型塗料、調合ペイント、粉体塗料など各種形態の塗料が含まれる。
光透過性シートに塗料の塗布見本を設ける方法は特に限定されないが、実際の塗装方法と同様にして行うことが好ましく、例えば、刷毛、コテ、ローラー、スプレーガン、アプリケーター、コーター等の塗装器具を用いて塗装することができる。
光透過性シートや、光透過性シート上に配置する着色ピースに含有される顔料の具体例としては、酸化チタン、酸化鉄等の金属酸化物顔料、チタンイエロー等の複合酸化金属顔料、カーボンブラック、アゾ系顔料、キナクリドン系顔料、ジケトピロロピロール系顔料、ペリレン系顔料、ペリノン系顔料、ベンズイミダゾロン系顔料、イソインドリン系顔料、イソインドリノン系顔料、金属キレートアゾ系顔料、フタロシアニン系顔料、インダンスロン系顔料、ジオキサン系顔料、インジゴ系顔料等を挙げることができる。
【００１０】
１枚の色見本シートが１種の着色見本を有する場合には、適当な大きさにカットした各色の色見本シートを束ねておくことで、着色する色を確認する際に必要な色の色見本シートを用いることができる。また、１枚の色見本シートに複数種の着色見本を有する場合には、各対応区画を着色したり、あるいは、各着色した光透過性シートを適当な大きさにカットしたピースを、別の光透過性シートに貼付して着色見本とすることもできる。
各着色見本は、複数の塗料を重ねて塗布したもの、塗料を塗布した後さらにコーティング剤等を重ねて塗布したもの、顔料等の色材を含有する合成樹脂シートのいずれであってもよく、また、複数の着色見本を重ねたものであってもよい。
各着色見本としては、透明性や光透過性が高いものであっても低いものであってもよいが、色見本シートと下地シートを重ね合わせた際に、下地が完全に隠蔽されない、非隠蔽性の着色見本であると好ましい。
【００１１】
着色見本の形状は、三角形、四角形等の多角形、円形、楕円形、星形、その他不定形等の各種形状とすることができるが、三角形又は四角形であると好ましい。
光透過性シート上に設けられる着色見本の数は特に限定されず、光透過性シートの大きさに応じて適宜選択することができるが、例えば、光透過性シートがＡ４サイズ程度である場合には、５〜２００個設けることが好ましく、１０〜１００個設けることがより好ましく、２０〜５０個設けることがさらに好ましい。また、１枚の色見本シートが１種の着色見本を有する場合には、好ましくは５〜２００枚、より好ましくは１０〜１００枚、さらに好ましくは２０〜５０枚の色見本シートを束ねておくことができる。
また、光透過性シート上に設けられた着色見本は、下地シートが完全に隠蔽されない程度の透明性又は光透過性を有することが好ましい。
各着色見本内又はその近傍には、塗料や色材の品番、組成比、対応するマンセル表色系又はＣＩＥ表色系の数値等を示す表示を設けることもできる。
【００１２】
色見本シートの色を評価する為の下地シートとしては、基材シートを着色したり、模様付けしたものであればよく、着色対象物が再現された下地シートであると好ましい。基材シートを着色する方法としては、基材シートに塗料を塗布したり、印刷を施したり、合成樹脂等に顔料等の色材を含有させてフィルム状、シート状、板状等とする方法が挙げられる。
着色対象物が再現された下地シートとは、着色対象物の色、模様や質感が再現されたシートであり、具体的には、現像写真、画像印刷物、凸版、凹版、スクリーン、コーター等による印刷物、エアガン、ウールローラー、刷毛、コテ等を使用した塗装物が挙げられるが、現像写真又は画像印刷物であると好ましい。上記画像印刷物としては、基材シートに着色対象物のデジタル写真やコンピュータグラフィックスをプリンター等で印刷したものが挙げられる。
基材シートとしては、合成樹脂等の透明又は半透明材料、あるいは、紙、繊維、金属等の不透明材料をフィルム状、シート状又は板状としたものを用いることができるが、取り扱いの容易さ、重量やコスト面から、紙が好ましい。
【００１３】
下地シートで再現される着色対象物は、着色の用途により適宜選択可能であり特に限定されないが、具体的には、コンクリート、モルタル、押し出し成型セメント板、サイディングボード、スレート、カラーベスト、瓦、ガラス、木板、木毛セメント板、合板等の建材や、また、金属、合成樹脂、紙等をフィルム状、シート状、板状等の各種形状としたものが挙げられ、コンクリート、モルタル、押し出し成型セメント板等の嵩張ったり重量のある建材を再現することで、取扱いや持ち運びが容易であるという本願発明の効果が顕著となる。
下地シートの裏面には、塗料や色材の組成比などの情報を記載したり、表面とは別の着色対象物が表現されるようにしても良い。
【００１４】
本発明の色見本セットでは、色見本シートの色を評価する為の下地シート上に色見本シートを重ね合わせることで、着色対象物が着色された際の色味を掴むことができる。異なる着色対象物や異なる塗料や色材における着色イメージを確認する場合には、別の下地シートや色見本シートを重ね合わせることで着色された際の色味を掴むことができる。
【実施例】
【００１５】
次に実施例を挙げて本発明を更に具体的に説明するが、本発明はこれらの例によってなんら限定されるものではない。
【００１６】
製造例１（色見本シート）
ダイステンダー  ２０００Ｂ  クリヤー（コンクリート用塗料：大日精化工業株式会社製）に有彩色、無彩色のカラーベースを所定の割合で配合し１５種類の配合塗料を作製した。次に、Ａ−４サイズのＰＥＴシートの片面の所定の区画内に、各配合塗料を均等に塗布して乾燥し、塗布見本とした。各塗布見本の上部には、対応する配合塗料の組成比を記載した。得られた色見本シートを図２に示す。
【００１７】
製造例２（色見本シート）
ダイステンダー  ２０００Ｂ  クリヤー（コンクリート用塗料：大日精化工業株式会社製）に有彩色、無彩色のカラーベースを所定の割合で配合し１５種類の配合塗料を作製した。次に、Ａ−４サイズのＰＥＴフィルムの片面の所定の箇所に、各配合塗料を均等に塗布して乾燥し、３．５ｃｍ×４．５ｃｍのサイズにカットして各配合塗料の塗布見本とした。その後、得られた塗布見本の裏面（４．５ｃｍ幅の１辺）に幅５ｍｍの両面テープを貼り、２１ｃｍ×２１ｃｍのＰＥＴシートの片面に貼付した。ＰＥＴシートに貼付した各塗布見本の上部には、対応する配合塗料の組成比を記載した。
【００１８】
製造例３（下地シート）
カメラで３種類のコンクリートの施工面並びに２種類の押し出し成形セメント板の施工面を撮影し、その現像写真を５種類の下地シートとした。
【００１９】
製造例４（下地シート）
デジタルカメラで３種類のコンクリートの施工面並びに２種類の押し出し成形セメント板の施工面を撮影し、そのデジタル写真を２１ｃｍ×２１ｃｍの紙にプリンターで印刷して５種類の下地シートを作製した。
【００２０】
実施例１（色見本セット）
製造例１で得られた色見本シートと製造例３で得られた５種類の下地シートとを組み合わせ、色見本セットとした。色見本シートと下地シートの１枚とを重ね合わせた状態を図１に示す。
５種類の下地シートの上に色見本シートを重ねることにより、３種類のコンクリートの施工面及び２種類の押し出し成形セメント板に１５種の配合塗料を塗布した際の色味を掴むことができた。
【００２１】
実施例２（色見本セット）
製造例２で得られた色見本シートと製造例４で得られた５種類の下地シートを組み合わせ、色見本セットとした。
５種類の下地シートの上に色見本シートを重ねることにより、３種類のコンクリートの施工面及び２種類の押し出し成形セメント板に１５種の配合塗料を塗布した際の色味を掴むことができた。
【産業上の利用可能性】
【００２２】
以上詳細に説明したように、本発明の色見本セットを用いることで、着色対象物を着色した際の色味を掴むことができるため、本発明の色見本セットは、塗料メーカーやユーザーに用いられる色見本として極めて有用である。
【図面の簡単な説明】
【００２３】
【図１】本発明の色見本セットの一態様を示す斜視図である。
【図２】本発明の色見本セットを構成する色見本シートの一態様を示す平面図である。
【符号の説明】
【００２４】
ａ：色見本シート
ｂ：下地シート
ｃ：光透過性シート
ｄ：着色見本
ｅ：塗料品番の表示
【図１】
0005330710.tif 000002
【図２】
0005330710.tif 000003